(57)【要約】【課題】視認性に優れ、液晶パネルの劣化や結露の生じ難い操作表示装置を提供する。【解決手段】パネルカバー２０の透明窓４３を介して視認する液晶パネル３８を制御装置４１上に設け、その液晶パネル３８を覆う透明ケース４８を有し、その透明ケース４８の下面には、切欠４８ｂを設け、制御装置４１に装着した時、制御装置４１との間に隙間を構成し、透明ケース４８の内外の制御装置４１の表裏面に、防湿ポッティング剤４６を充填するようにし、また、その液晶パネル３８を覆う透明ケース４８には、側面部に小孔４８ｃを１個または複数個設けて透明ケース４８の外側と内側とを同気圧になるように構成し、これによって、液晶パネル３８の表面が結露しないので、液晶パネル３８が劣化しにくく、信頼性を高めることができる。【選択図】図４
2008066163.tif 000002
【特許請求の範囲】
【請求項１】
操作ボタン部と表示部と前記表示部の一部に開口部とを有する操作表示パネルと、前記表示部の上面に貼付けたパネルシートと、前記操作ボタン部の対応位置に設けた操作部と前記表示部の対応位置に設けた透明窓とを有するパネルカバーと、前記操作表示パネルの下方に配され操作ボタン部の対応位置に配されたスイッチと表示部の対応位置に配された複数個の表示素子および、洗濯、すすぎ、脱水の設定条件および残時間等を表示する液晶パネルを積載した制御装置とを備え、前記制御装置は、前記液晶パネルを完全に覆う透明材料で構成された透明ケースが装着され、液晶パネルを覆う透明ケースは、制御装置との当接部である下端に切欠を設けることで、前記透明ケースを前記制御装置に装着した時、前記制御装置との間に隙間を構成し、前記透明ケースの内外の前記制御装置の表裏面に、防湿ポッティング剤を充填するように構成し、液晶パネルを覆う透明ケースは、側面の一部に小孔を１個または複数個設け、前記透明ケースの上面が前記操作表示パネルの開口部に挿入され、操作ボタン部と表示部とを有する操作表示パネルは、上面がパネルカバーで覆われるとともに、前記操作ボタン部と表示部とを囲むように凹溝部が設けられ、前記パネルカバーの裏面には、前記凹溝部の対応位置にリブが設けられ、前記リブが前記凹溝部に入り込むように構成し、また操作表示パネル上に貼り付けた、パネルシートの液晶部に孔を構成した操作表示装置。
【発明の詳細な説明】
【技術分野】
【０００１】
本発明は、操作ボタン部の操作に対応して表示する液晶ディスプレイ部を設けた操作表示装置に関するものである。
【背景技術】
【０００２】
従来、この種の洗濯機等に使用される従来の操作表示装置は、図６〜図８に示すように構成していた。以下、その構成について説明する。
【０００３】
図６は、従来の操作表示装置を備えた洗濯機の要部上面図、図７は、同操作表示装置の分解斜視図、図８は、同操作表示装置の要部断面図である。
【０００４】
図６に示すように、操作表示パネル１は、洗濯機の洗濯槽（図示せず）を開閉自在に覆う蓋２の前方（手前側）に取り付けており、この操作表示パネル１の上面にシート材で構成されたパネルシート３を貼り付けている。このパネルシート３に、操作部４、５、コース表示部６ａ、６ｂ、６ｃなどを設けている。操作部４は洗濯動作を開始するとき操作するものであり、操作部５は、所定の運転コースを選択するとき操作するものである。
【０００５】
コース表示部６ａ、６ｂ、６ｃは、操作部５により所定の運転コースを選択すると点灯する。電源入りスイッチ７ａは、洗濯機本体に電源を投入するものであり、電源切りスイッチ７ｂは、洗濯機本体の電源を遮断するものである。
【０００６】
つぎに、図７および図８に示すように、操作表示パネル１の操作表示部８の下方に洗濯機の運転を制御する制御装置９を装着し、この制御装置９に複数のスイッチ１０を設けている。このスイッチ１０は、操作表示部８の操作ボタン部１１に対応した位置に設けられ、この操作ボタン部１１に設けた押圧部１２を押圧することでオン、オフできるように構成されている。ここで、操作ボタン部１１は、弾性を有するように形成したボタン支持部１３により操作表示部８に上下動自在に支持されている。
【０００７】
操作表示部８の上面には、弾性を有するパネルシート３を貼着し、パネルシート３に設けた操作部４、５より、操作ボタン部１１を介してスイッチ１０を押圧できるようにしている。
【０００８】
また、パネルシート３のコース表示部６ａ、６ｂ、６ｃの表示は、制御装置９にセットした表示ケース１４に設けたＬＥＤ（発光ダイオード）等からなる表示素子１５の点灯や点滅等で、裏面からパネルシート３の表面に印刷してあるコースの表示を照射することにて構成される。
【０００９】
上記表示ケース１４は、操作表示パネル１に形成した開口部である表示窓１６に下方より挿入してセットする。
【００１０】
図８に示すように、制御装置９内に構成されたプリント基板９ａ上に載置された表示ケース１４に、複数個のＬＥＤ等からなる表示素子１５を設け、表示ケース１４の上端１４ａはパネルシート３の裏面（制御装置９側）にできるだけ近接するように配置して、隣り合う表示素子１５の光が洩れないようにして視認性を高めるようにしている。
【００１１】
上記構成において、その動作を説明すると、電源入りスイッチ７ａをオンし、さらに操作部５をオンする。このとき、操作ボタン部１１に設けた押圧部１２によりスイッチ１０を押圧してオンし、所定の運転コースを選択する。このとき、コース表示部６ａ、６ｂ、６ｃと順次コース内容が変わり、使用者が希望のコースを選択する（例えば、特許文献１参照）。
【特許文献１】特開２００４−０７３７０６号公報
【発明の開示】
【発明が解決しようとする課題】
【００１２】
しかしながら、このような従来の操作表示装置の構成では、制御装置９にセットした表示ケース１４を操作表示パネル１に設けた開口部である表示窓１６に下方より挿入しセットする構造のため、表示ケース１４の外形と表示窓１６の内形は、挿入しやすくする目的や部材のばらつきを吸収するために余裕を設ける必要がある。その結果、表示部６ａ、６ｂ、６ｃ等の表示位置と表示ケース１４の位置がずれることがあり、視認性に課題があった。
【００１３】
また、複数の表示素子１５の光を、隣り合う表示部（例えば６ａと６ｂ）に互いに照射しないようにするため、表示ケース１４の上端１４ａがパネルシート３の裏面に近接させすぎた場合、部材のばらつき等により、上端１４ａがパネルシート３裏面に接触し押上げたりすることがあり、その結果、シート材で構成されたパネルシート３が凸凹に見えたりして、美観を損ねるという課題があった。
【００１４】
また、操作表示パネル１とパネルシート３は、その機能上、異なる材料で製作されるため、熱膨張係数が異なるので熱収縮の考慮が必要であり、貼り付けたあとでも、操作表示部８の内周部とパネルシート３の外周部に熱収縮を考慮した隙間を設ける必要があり、視認性が良くなかった。さらにその隙間にごみや水が溜りやすく、また、上記のように、パネルシート３の外周部の近くに電源入りスイッチ７ａや電源切りスイッチ７ｂがある場合などにおいては、電源入りスイッチ７ａや電源切りスイッチ７ｂの裏面にはパネルシート３の貼り付け用の接着剤が無いため、パネルシート３の外周部と電源入りスイッチ７ａや電源切りスイッチ７ｂ間の接着剤の貼り付け幅が狭くなり、電源入りスイッチ７ａや電源切りスイッチ７ｂの押圧動作により、その幅の狭い貼り付け部分の接着力が低下してしまい、その部分からパネルシート３がはがれやすくなるという課題があった。
【００１５】
また、ＬＥＤ（発光ダイオード）等の表示素子１５のみの操作表示のため、表示にメリハリがなく、常に使用する表示とあまり使わない表示とで、差別化ができにくいという課題があった。
【００１６】
さらに、冬場に温水を使用した場合において、その温水の湯気がコース表示部６ａ、６ｂ、６ｃ等に浸入して、そこに水滴が付着し、表示が見えにくくなり、美観をそこねるという課題があった。
【００１７】
本発明は、前記従来の課題を解決するもので、パネルシートを貼り付けた後でも、パネルシートの表面が凸凹に見えたりすることがなく、また、パネルシートがはがれたりする心配もなく、さらに、液晶パネルを用いることにより、使用者に強調したい部分を分かりやすく表示でき、かつ結露に対する信頼性の低い液晶パネルを、この構成を用いることにより、結露もなく、信頼性の高い操作表示装置として提供することを目的とする。
【課題を解決するための手段】
【００１８】
前記従来の課題を解決するために、本発明の操作表示装置は、操作ボタン部と表示部と前記表示部の一部に開口部とを有する操作表示パネルと、前記表示部の上面に貼付けたパネルシートと、前記操作ボタン部の対応位置に設けた操作部と前記表示部の対応位置に設けた透明窓とを有するパネルカバーと、前記操作表示パネルの下方に配され操作ボタン部の対応位置に配されたスイッチと表示部の対応位置に配された複数個の表示素子および、洗濯、すすぎ、脱水の設定条件および残時間等を表示する液晶パネルを積載した制御装置とを備え、前記制御装置は、前記液晶パネルを完全に覆う透明材料で構成された透明ケースが装着され、液晶パネルを覆う透明ケースは、制御装置との当接部である下端に切欠を設けることで、前記透明ケースを前記制御装置に装着した時、前記制御装置との間に隙間を構成し、前記透明ケースの内外の前記制御装置の表裏面に、防湿ポッティング剤を充填するように構成し、液晶パネルを覆う透明ケースは、側面の一部に小孔を１個または複数個設け、前記透明ケースの上面が前記操作表示パネルの開口部に挿入し、操作表示パネル上に貼り付けた、パネルシートの液晶部に孔を構成したものである。
【００１９】
これによって、本発明の操作表示装置は、従来のように操作表示パネルから表示ケースが飛び出したとしても、パネルシートに、パネルシート孔部を設けている為、その部分から飛び出すことになるが、パネルシートを貼り付けた後でも、パネルシートの表面が凸凹に見えたりすることがなく、また、貼り付け部に水やごみが溜ることもなく、剥離する心配もなく、また、液晶の表面に結露し、使用者に不安を与えたりすることもなく、また外部から水が浸入したとしても、パネルシート上面に水が浸入することがなく、美観を損ねることもなく、液晶パネルの信頼性を向上させることができるため、お客様に見やすく、信頼性の高い操作表示装置を実現することができる。
【発明の効果】
【００２０】
本発明の操作表示装置は、パネルシートの表面が凸凹に見えたりすることがなく美観に優れ、また、パネルシートが剥離する心配もなく、また液晶パネルの表面が結露しないので、液晶パネルが劣化しにくく、信頼性を高めることができる。
【発明を実施するための最良の形態】
【００２１】
第１の発明は、操作ボタン部と表示部と前記表示部の一部に開口部とを有する操作表示パネルと、前記表示部の上面に貼付けたパネルシートと、前記操作ボタン部の対応位置に設けた操作部と前記表示部の対応位置に設けた透明窓とを有するパネルカバーと、前記操作表示パネルの下方に配され操作ボタン部の対応位置に配されたスイッチと表示部の対応位置に配された複数個の表示素子および、洗濯、すすぎ、脱水の設定条件および残時間等を表示する液晶パネルを積載した制御装置とを備え、前記制御装置は、前記液晶パネルを完全に覆う透明材料で構成された透明ケースが装着され、液晶パネルを覆う透明ケースは、制御装置との当接部である下端に切欠を設けることで、前記透明ケースを前記制御装置に装着した時、前記制御装置との間に隙間を構成し、前記透明ケースの内外の前記制御装置の表裏面に、防湿ポッティング剤を充填するように構成したことにより、制御板と隙間を設けることにより、電装部品を結露等からまもる、防湿ポッティング剤が、その透明ケース内にもすばやく流れ込むようになり、液晶パネルの信頼性を向上させることができるとともに、防湿ポッティング剤注入の作業性を向上させることができる。また液晶パネルを覆う透明ケースは、側面の一部に小孔を１個または複数個設けたことにより、液晶パネルを覆う透明の外側と内側とが同気圧になり、透明ケースの内面に結露が発生することを抑え、美観をそこなうことがなくなると同時に、液晶パネルが吸水して、絶縁劣化することを防止することができる。
【００２２】
また、前記透明ケースの上面が前記操作表示パネルの開口部に挿入されるように構成した操作表示装置とすることにより、操作表示パネルから表示ケースが飛び出した場合でも、パネルケースに孔を設けているため、パネルシートの表面が凸凹に見えたりすることがなく美観に優れ、また、操作表示パネルとの隙間も見えないため、美観を向上できるとともに、貼り付け部に水やごみが溜ることもなく、剥離する心配もない。
【００２３】
また、液晶パネルを用いることにより、使用者に強調したい部分を視認しやすく表示しつつ、水分に対する信頼性の低い液晶パネルを、この構成により、水の浸入を防止し、信頼性を向上させることができる。
【００２４】
以下、本発明の実施の形態について、図面を参照しながら説明する。また、従来例と同一部分については同一符号を付してその説明を省略する。なお、この実施の形態によって本発明が限定されるものではない。
【００２５】
（実施の形態１）
図１は、本発明の第１の実施の形態における操作表示装置を搭載した洗濯機の要部上面図、図２は同操作表示装置の分解平面図、図３は、同制御板を組み込んだ制御装置ケースの平面図、図４は、同操作表示装置の図１のＡ−Ａ断面図、図５は、同操作表示装置の図１のＢ−Ｂ断面図である。
【００２６】
図１において、洗濯機の操作表示面全体を構成するパネルカバー２０は、プラスチック成形部材にて構成されている。
【００２７】
パネルカバー２０には、洗濯機本体（図示せず）に電源を投入する際および電源を遮断する際に操作する電源入り切りスイッチ２１、洗濯等の動作をスタートあるいは一時停止する際に操作するスタート・一時停止スイッチ２２、洗濯の時間を設定する際に操作する洗濯時間設定スイッチ２３ａ、すすぎの回数あるいはすすぎの時間を設定する際に操作するすすぎ設定スイッチ２３ｂ、脱水の時間を設定する際に操作する脱水時間設定スイッチ２３ｃ、脱水時の洗濯兼脱水槽（図示せず）の回転速度を設定する際に操作する脱水回転速度設定スイッチ２３ｄ、予約運転をする際に操作する予約運転設定スイッチ２３ｅ、洗濯およびすすぎ時の洗濯水およびすすぎ水の温度を設定する際に操作する水温設定スイッチ２４ａ、決められた複数の洗濯コースから１つの洗濯コースを選択する際に操作するコース設定スイッチ２４ｂ、洗濯およびすすぎ時の洗濯水およびすすぎ水の水位を設定する際に操作する水位設定スイッチ２４ｃ等を有する操作部と、これらの操作部の操作にて設定される洗濯時間を表示する洗濯時間表示部２５ａ、すすぎの回数あるいはすすぎの時間を表示するすすぎ表示部２５ｂ、脱水の時間を表示する脱水時間表示部２５ｃ、脱水時の洗濯兼脱水槽の回転速度を表示する脱水回転速度表示部２５ｄ、洗濯の残時間あるいは予約運転の終了時間を表示する時間表示部２５ｅ等を表示する液晶ディスプレイ部２６や、ＬＥＤ（発光ダイオード）等にて構成され、水温設定スイッチ２４ａにて設定された洗濯水およびすすぎ水の温度を表示する水温設定表示部２７ａ、コース設定スイッチ２４ｂにて選択された洗濯コースを表示するコース設定表示部２７ｂ、水位設定スイッチ２４ｃにて設定された洗濯水およびすすぎ水の水位を表示する水位表示部２７ｃ、予約運転設定スイッチ２３ｅにて予約が設定されると予約の設定を表示する予約運転設定表示部２７ｄ等を有するＬＥＤ表示部とを配置する。
【００２８】
液晶ディスプレイ部２６や、ＬＥＤで表示された水温設定表示部２７ａ、コース設定表示部２７ｂ、水位表示部２７ｃおよび予約運転設定表示部２７ｄ等の表示部分は、パネルカバー２０の裏面内方に構成されており、パネルカバー２０に一体形成された横長矩形形状の透明部であるパネルカバー透明部２８を介して透過視認する構成である。
【００２９】
図２において、パネルカバー２０の透明部２８に対応して、その裏面内方には、図１で説明した液晶ディスプレイ部２６の表示を透過視認できるようにパネルシート３０にパネルシート孔部２９を有するとともに、ＬＥＤにて表示する水温設定表示部２７ａ、コース設定表示部２７ｂ、水位表示部２７ｃおよび予約運転設定表示部２７ｄ等をプリント印刷したポリエステル樹脂シート等で製作されたパネルシート３０を配する。
【００３０】
パネルカバー２０は、表面に電源入り切りスイッチ２１、スタート・一時停止スイッチ２２、洗濯時間設定スイッチ２３ａ、すすぎ設定スイッチ２３ｂ、脱水時間設定スイッチ２３ｃ、脱水回転速度設定スイッチ２３ｄ、予約運転設定スイッチ２３ｅ、水温設定スイッチ２４ａ、コース設定スイッチ２４ｂ、および水位設定スイッチ２４ｃ等の表示を印刷したフィルムをインサート成型したプラスチック成形部材で構成する。
【００３１】
また、パネルシート３０の裏面内方には、ポリプロピレン樹脂やＡＢＳ樹脂により形成した操作表示パネル３１を配し、この操作表示パネル３１には、パネルシート３０を接着貼り付ける為の比較的平面に形成した表示部３２や、液晶ディスプレイ部２６に対応して開口した開口部３３や、水温設定表示部２７ａ、コース設定表示部２７ｂ、水位表示部２７ｃおよび予約運転設定表示部２７ｄ等のＬＥＤ表示に対応して開口した複数個の表示窓３４や、電源入り切りスイッチ２１、スタート・一時停止スイッチ２２、洗濯時間設定スイッチ２３ａ、すすぎ設定スイッチ２３ｂ、脱水時間設定スイッチ２３ｃ、脱水回転速度設定スイッチ２３ｄ、予約運転設定スイッチ２３ｅ、水温設定スイッチ２４ａ、コース設定スイッチ２４ｂ、および水位設定スイッチ２４ｃ等に対応した複数個の操作ボタン部３５を一体形成している。
【００３２】
なお、操作ボタン３５は、その外周部が周縁３５ａから分離するようにスリット部３５ｂを形成して、かつ、その一部を薄肉部３５ｃにて周縁３５ａと接続したことにより、操作ボタン３５が押圧されると、この薄肉部３５ｃの可撓性と弾性により、薄肉部３５ｃを支点としてたわみ、操作ボタン３５を上下動させることにより、後述するスイッチ３６に信号を入力できる。
【００３３】
図３にて図示した制御装置ケース３７は、操作表示パネル３１の下方に構成され、制御装置ケース３７内には、液晶パネル３８、ＬＥＤ等からなる表示素子３９、スイッチ３６、半導体（図示せず）、マイコン（図示せず）等を積載装着したプリント基板４０等にてなる制御装置４１を配するとともに、外周の平坦部３７ａに設けられたボス穴部３７ｂにて、図２で説明した操作表示パネル３１に裏面よりねじ止め等で固定される。
【００３４】
スイッチ３６は、操作ボタン部３５が押圧操作されることに対応して動作し、液晶パネル３８は、液晶ディスプレイ部２６、パネルシート孔部２９および開口部３３に対応し、また、ＬＥＤ等からなる表示素子３９は、水温設定表示部２７ａ、コース設定表示部２７ｂ、水位表示部２７ｃおよび予約運転設定表示部２７ｄ等、および表示窓３４に対応する。
【００３５】
図４において、洗濯機の上面前方にパネルカバー２０を配し、パネルカバー２０の断面は緩やかな凸形状に形成するとともに、表面にフィルム４２をインサート成型したプラスチック成形部材にて構成する。
【００３６】
凸形状部に透明窓４３を一体形成する。この透明窓４３の構成方法は、例えば、パネルカバー２０を透明プラスチック成形材で、フィルム４２を透明シートで構成し、このフィルム４２の透明部分２７以外を塗装加工やプリント印刷により被覆しても良い。
【００３７】
パネルカバー２０の内方には、操作表示パネル３１を配し、かつこの操作表示パネル３１の裏面側に制御装置４１を内設した制御装置ケース３７を配し、制御装置ケース３７は、ねじ４４により操作表示パネル３１裏面に一体形成したボス部４５に固定する。
【００３８】
制御装置４１には、液晶パネル３８、スイッチ３６、マイコン（図示せず）等を装着するとともに、制御装置ケース３７内部にポリウレタン樹脂等で構成された防湿材からなる防湿ポッティング剤４６を充填させて、制御装置４１の表裏に防湿処理を施す。
【００３９】
操作表示パネル３１に上下動可能に一体形成された操作ボタン部３５は、パネルカバー２０の透明窓４３下方前方近傍に形成したスリット部３５ｂより、パネルカバー２０の上面に穿設せしめ、インサート成型されたフィルム４２に凸状に形成した操作部４２ａを押圧することより制御装置４１に装着したスイッチ３６に信号が入力される。
【００４０】
操作部４２ａの近傍には、図１または図２にて示した電源入り切りスイッチ２１、スタート・一時停止スイッチ２２、洗濯時間設定スイッチ２３ａ、すすぎ設定スイッチ２３ｂ、脱水時間設定スイッチ２３ｃ、脱水回転速度設定スイッチ２３ｄ、予約運転設定スイッチ２３ｅ、水温設定スイッチ２４ａ、コース設定スイッチ２４ｂ、および水位設定スイッチ２４ｃ等の操作部の印刷表示を施す。
【００４１】
操作表示パネル３１の略中央部のパネルカバー２０の透明窓４３の対応位置は、凹部４７を形成し、凹部４７の底面の表示部３２には開口部３３を形成し、この開口部３３を覆うように、かつ、開口部３３に図２で示したパネルシート３０のパネルシート孔部２９を対応させつつ、表示部３２にパネルシート３０を貼り付ける。
【００４２】
制御装置４１には、液晶パネル３８を装着し、この液晶パネル３８を上方から覆うように断面が略コ字状をした下面開放の箱体形状をなし透明材料で構成された透明ケース４８を配し、その透明ケース４８の開口部下端４８ａは、制御装置４１の上面に当接している。透明ケース４８の開口部下端４８ａの一部には透明ケース４８の内外に通じる切欠４８ｂを複数個設けて、防湿材からなる防湿ポッティング剤４６を充填させる際の通路としている。また、側面壁には、φ０．８ｍｍ程度の小孔４８ｃを１個ないし、複数個設けており、透明ケース４８の外側と内側とが同気圧になるようにしている。
【００４３】
また液晶パネル３８の表示部２５ａ〜２５ｅ等は、透明ケース４８を介し、さらに、パネルシート３０のパネルシート孔部２９を介し、また、パネルカバー２０の透明窓４３を介し、フィルム４２の外側から見えるようになっている。
【００４４】
パネルカバー２０の透明窓４３の開口面積は、パネルシート３０の外形よりも小さく形成し、パネルシート３０を操作表示パネル３１の表示部３２に貼り付ける際、その外周部の隙間を見えにくいようにして美観を高めている。
【００４５】
また、操作表示パネル３１の表示部３２および操作ボタン部３５の外周には、全周に凹溝部４９を設け、パネルカバー２０の裏面の凹溝部４９の対応位置に下方に突出したリブ５０を設け、リブ５０が凹溝部４９に入り込むように構成している。
【００４６】
図５において、制御装置４１には、複数のＬＥＤ等からなる表示素子３９を設け、操作表示パネル３１の表示部３２には、複数のＬＥＤ等からなる表示素子３９にそれぞれ対応した複数の表示窓３４を設けている。この表示窓３４は、操作表示パネル３１と一体に成形し、ＬＥＤ等からなる表示素子３９側から操作表示パネル３１の表面側に向けて開口面積が漸次拡大するように構成されている。また、表示窓３４、即ち操作表示パネル３１の材質は、非透光材料にて形成され、相互に露光しない構成とし、パネルシート３０は、表示窓３４の上面である表示部３２に貼り付けている。
【００４７】
点灯したＬＥＤ等からなる表示素子３９の光は、表示窓３４を介してパネルシート３０に印刷された表示を照明することで、パネルカバー２０の透明窓４３を介し、フィルム４２の外側から見えるようになっている。
【００４８】
以上のように構成された操作表示装置について、以下その動作、作用、および効果を説明する。
【００４９】
図１、図２、図３において、電源入りスイッチを構成する電源入り切りスイッチ２１を押圧し、コース設定スイッチ２４ｂを押圧すると、操作ボタン部３５が薄肉部３５ｃを支点としてたわみ、スイッチ３６をオンすることができ、所定の運転コースを選択することができる。次に、スタート・一時停止スイッチ２２を押圧すると、同様にして、操作ボタン部３５を介して制御装置４１に配したスイッチ３６をオンすることができ、それによって運転を開始する。
【００５０】
このとき、操作表示パネル３１の下方に配した制御装置４１には、複数のＬＥＤ等からなる表示素子３９を設けており、操作表示パネル３１には複数のＬＥＤ等からなる表示素子３９にそれぞれ対応した複数の表示窓３４を設けることにより、制御装置４１にＬＥＤ等からなる表示素子３９の光を拡散するための拡散ケースを別途設けることなく、光を拡散する構成を実現できる。
【００５１】
これにより、制御装置４１には拡散ケースが不要になり、パネルシート３０を、表示窓３４の上面である表示部３２に直接貼り付けるため、制御装置４１とＬＥＤ等からなる表示素子２２の組立ばらつき等により、パネルシート３０の表面が凸凹するといったことがなく、美観を向上させることができる。
【００５２】
また、使用者が個別によく使用する表示部には、液晶ディスプレイ部２６を採用し、他の表示部とは差別化を図る。例えば、洗濯時間、すすぎ回数、脱水時間、脱水回転速度等を個別に選択したい場合は、洗濯時間設定スイッチ２３ａ、すすぎ設定スイッチ２３ｂ、脱水時間設定スイッチ２３ｃ、脱水回転速度設定スイッチ２３ｄを押圧する。すると操作ボタン部３５が薄肉部３５ｃを支点としてたわみ、スイッチ３６をオンすることができ、その設定が液晶パネル３８に表示され、次に、スタート・一時停止スイッチ２２を押圧すると、同様にして、操作ボタン部３５を介してスイッチ３６をオンして運転を開始する。
【００５３】
個別の洗濯や、すすぎ、脱水の条件設定や残時間等を表示する液晶ディスプレイは、一般的には、水分や湿気に弱いので何らかの対応が求められるが、以下、図４および図５によりその構成と効果を説明する。
【００５４】
液晶パネル３８の制御装置４１への取り付け部の防水、防湿には、電装部品を結露等による絶縁劣化から守るための防湿ポッティング剤４６を制御装置４１の表裏面に注入し、液晶パネル３８の防水には透明ケース４８を覆うように配し信頼性を向上させている。
【００５５】
防湿ポッティング剤４６を制御装置４１の表裏面に注入する際、防湿ポッティング剤４６が、透明ケース４８内にすばやく流れ込むように、透明ケース４８を制御装置４１に組み込んだ時、制御装置４１と隙間を設けるために下面には切欠４８ｂを設けているので、透明ケース４８内部の液晶パネル３８の制御装置４１との接続部分に防湿ポッティング剤４６を流し込むことができるため、品質を向上させることができるとともに、その作業工数を削減することができる。
【００５６】
また液晶パネル３８を完全に覆う透明ケース４８の側面の一部にφ０．８ｍｍ程度の小孔４８ｃを１個ないし、複数個設けることにより、液晶パネル３８を覆う透明ケース４８の外側と内側とが同気圧になり、透明ケース４８の内面に結露が発生することを抑え、美観をそこなうことがなくなると同時に、液晶パネル３８が吸水して、絶縁劣化することを防止する。
【００５７】
また操作表示パネル３１の表示部３２の上面を覆うパネルシート３０のパネルシート孔部２９は、液晶パネル３８を完全に覆う透明ケース４８の外形より大きくしているため、組み立てのばらつきや部品のばらつきで、透明ケース４８が操作表示パネル３１の表示部３２より飛び出た場合でも、美観をそこなうことがなくなる。また、パネルシート３０のパネルシート孔部２９を設けているため、液晶パネル３８上には、透明ケース４８とパネルカバー２０の透明窓４３の二種類になるため、視認性もよくなる。
【００５８】
また操作表示パネル３１の表示部３２および操作ボタン部３５の外周には凹溝部４９を設け、パネルカバー２０の裏面の凹溝部４９の対応位置に下方に突出したリブ５０を設け、リブ５０が凹溝部４９に入り込むように構成していることにより、パネルカバー２０と操作表示パネル３１の隙間から浸入した水は、操作表示パネル３１の凹溝部４９部内に流れ込むので、表示部３２の上面を覆うパネルシート３０に付着するのを防ぐことができ、パネルシート３０の剥離や美観を損なうことを防止することができる。
【００５９】
これによって、本発明の操作表示装置は、従来のように操作表示パネルから表示ケースが飛び出した場合でも、パネルケースに孔を設けているため、パネルシートの表面が凸凹に見えたりすることがなく、また、貼り付け部に水やごみが溜ることもなく、剥離してくる心配もない。また、液晶パネルの表面に結露し、使用者に不安を与えたりすることもなく、液晶パネルの信頼性を向上させることができる。
【００６０】
上記実施の形態１は、洗濯機について記載したが、液晶パネルを使用する電気機器であれば、同等の構成とすることにより、同等の効果を得ることができることは言うまでもない。
【産業上の利用可能性】
【００６１】
本発明の操作表示装置は、従来のように操作表示パネルから表示ケースが飛び出し、パネルシートを貼り付けた後でも、パネルシートの表面が凸凹に見えたりすることがなく、また、貼り付け部に水やごみが溜ることもなく、剥離する心配もなく、また、液晶の表面に結露し、使用者に不安を与えたりすることもなく、また外部から水が浸入したとしても、パネルシート上面に水が浸入することがなく、美観を損ねることもなく、液晶パネルの信頼性を向上させることができるため、操作部、表示部を有する各種機器に適用できる。
【図面の簡単な説明】
【００６２】
【図１】本発明の実施の形態１における操作表示装置を搭載した洗濯機の要部上面図
【図２】同操作表示装置の分解平面図
【図３】同制御板を組み込んだ制御装置ケースの平面図
【図４】同操作表示装置の図１のＡ−Ａ断面図
【図５】同操作表示装置の図１のＢ−Ｂ断面図
【図６】従来の操作表示装置を備えた洗濯機の要部上面図
【図７】同操作表示装置の分解斜視図
【図８】同操作表示装置の要部断面図
【符号の説明】
【００６３】
２０  パネルカバー
２９  パネルシート孔部
３０  パネルシート
３１  操作表示パネル
３２  表示部
３３  開口部
３５  操作ボタン部
３８  液晶パネル
４１  制御装置
４３  透明窓
４６  防湿ポッティング剤
４８  透明ケース
４８ｂ  切欠
４８ｃ  小孔
【図１】
2008066163.tif 000003
【図２】
2008066163.tif 000004
【図３】
2008066163.tif 000005
【図４】
2008066163.tif 000006
【図５】
2008066163.tif 000007
【図６】
2008066163.tif 000008
【図７】
2008066163.tif 000009
【図８】
2008066163.tif 000010